(57)【要約】 【課題】純正品であるかどうかを識別して不正を防止可能な遊技機の基板ボックスを提供する。【解決手段】内部に回路基板を収納するボックス本体２と、このボックス本体２の上部開口を塞ぐ蓋体３と、ボックス本体２と蓋体３とを錠止するロック機構５とからなる遊技機の基板ボックスにおいて、ボックス本体２と蓋体３とロック機構５との少なくとも１つを、紫外線の照射により蛍光を発する発光体が含有された樹脂製のものとしたうえに、発光体として、希土類錯体と有機色素との何れか一方または双方からなるものを用いる。ボックス本体２と蓋体３とロック機構５との少なくとも１つに、純正品であることを表示する識別マーク７やバーコード７１を発光体により描くことができる。【選択図】図２
2008125535.tif 000002
【特許請求の範囲】
【請求項１】
内部に回路基板を収納するボックス本体と、このボックス本体の上部開口を塞ぐ蓋体と、ボックス本体と蓋体とを錠止するロック機構とからなる遊技機の基板ボックスにおいて、
前記ボックス本体と蓋体とロック機構との少なくとも１つを、紫外線の照射により蛍光を発する発光体が含有された樹脂製のものとしたうえに、
前記発光体として、希土類錯体と有機色素との何れか一方または双方からなるものを用いたことを特徴とする遊技機の基板ボックス。
【請求項２】
ボックス本体と蓋体とロック機構との少なくとも１つに、純正品であることを表示する識別マークを発光体により描いて樹脂の内部に含有させた請求項１に記載の遊技機の基板ボックス。
【請求項３】
ボックス本体と蓋体とロック機構との少なくとも１つに、遊技機の機種情報が収納されたバーコードを発光体により描いて樹脂の内部に含有させた請求項１又は２に記載の遊技機の基板ボックス。
【請求項４】
ボックス本体と蓋体とロック機構との少なくとも１つを、異なる色彩を発する発光板が複数枚積層されたものとした請求項１〜３の何れかに記載の遊技機の基板ボックス。
【発明の詳細な説明】
【技術分野】
【０００１】
本発明は、回路基板が収納される遊技機の基板ボックスに関するものである。
【背景技術】
【０００２】
パチンコ機やスロットマシン等の遊技機には、複数の回路基板が設けられている。これらの回路基板上には、ＣＰＵやＲＡＭ、ＲＯＭ等が設置されていて、遊技機の内容等について各種の制御を行っている。ところが、近年回路基板上のＲＯＭを不正なものと交換し、予め定められている以上の確率で賞球またはコインを得ようとする事犯が頻発している。このような事犯に対抗するため、例えば特許文献１に開示されているような、回路基板を収納したうえ封止することができる基板ボックスが用いられるようになってきた。このものは、ボックス本体と蓋体とを封止部材で固定することにより、基板ボックスを開いたばあいには、その痕跡が残るようにして不正の防止に効果を上げることができる。
【０００３】
しかしながら、どのような優れた封止部材を備えた基板ボックスであっても、開封した痕跡が残った基板ボックスを別の基板ボックスとそっくり交換して回路基板を収納したばあいには、痕跡の確認が不可能となって、不正を効果的に防止することができないという問題があった。
【特許文献１】特開２００５−１５２４１４号公報  （図８）
【特許文献２】特開２００３−０８１９８６号公報  （図１）
【発明の開示】
【発明が解決しようとする課題】
【０００４】
本発明は、上記した従来の問題点に鑑み、純正品であるかどうかを識別して不正を防止可能な遊技機の基板ボックスを提供することを課題とする。
【課題を解決するための手段】
【０００５】
上記の課題を解決するためになされた本発明の遊技機の基板ボックスは、内部に回路基板を収納するボックス本体と、このボックス本体の上部開口を塞ぐ蓋体と、ボックス本体と蓋体とを錠止するロック機構とからなる遊技機の基板ボックスにおいて、
前記ボックス本体と蓋体とロック機構との少なくとも１つを、紫外線の照射により蛍光を発する発光体が含有された樹脂製のものとしたうえに、
前記発光体として、希土類錯体と有機色素との何れか一方または双方からなるものを用いたことを特徴とするものである。
【０００６】
上記した発明において、ボックス本体と蓋体とロック機構との少なくとも１つに、純正品であることを表示する識別マークを発光体により描いて樹脂の内部に含有させることができ、また、ボックス本体と蓋体とロック機構との少なくとも１つに、遊技の内容が収納されたバーコードを発光体により描いて樹脂の内部に含有させることもできる。さらに、ボックス本体と蓋体とロック機構との少なくとも１つを、異なる色彩を発する発光板が複数枚積層されたものとすることができる。
【発明の効果】
【０００７】
請求項１に係る発明は、常時は透明に見えるが、紫外線を照射したときには樹脂の内部に混合させた発光体が赤や青に発光するので、基板ボックスが純正品か非純正品であるかどうかを識別することができる。なお、従来から紫外線を照射すると発光する蛍光インキが存在するが、蛍光インキの場合は、表面が発光するだけであるので後から塗布することも可能であり、偽造されやすい。その点、本発明の基板ボックスでは表面だけでなく内部からも発光するので偽造されにくいという、大きな利点がある。
【０００８】
請求項２に係る発明は、紫外線により識別マークを浮き上がらせることにより、純正品と非純正品とを区別することができる。
【０００９】
請求項３に係る発明は、基板ボックスに真偽の判別以外に遊技の内容等の情報を同時に読み取ることができる。
【００１０】
請求項４に係る発明は、異なる色彩を発するので偽造されにくいという利点がある。
【発明を実施するための最良の形態】
【００１１】
以下に、本発明の実施形態を図面に基づき説明する。
図１，２は、本発明に係る基板ボックスを示す図であって、図において、１は回路基板、２はボックス本体、３は蓋体である。
【００１２】
回路基板１は、一端にコネクタ１１を備え、このコネクタ１１に接続してＲＡＭ，ＲＯＭ，ＣＰＵなどの電子部品１２が適宜の位置に配置されている。この回路基板１は、入賞確率を変動させるなどして遊技の内容を操作する。
【００１３】
ボックス本体２は、上部開口２１を有し、このボックス本体２の中に回路基板１がビス止めされて収納される。ボックス本体２は一側に蓋体３の端部を挿入して係止するための長孔２２を有し、その反対側の一側の外部には、円筒状の本体側ロック部５１が複数設けられている。
【００１４】
蓋体３はボックス本体２の上部開口２１に嵌合されてこれを塞いで、遊技者が内部の電子部品１２に接触して不正を働くのを防止する。蓋体３の一端の前記長孔２２に対応する位置には、長孔２２に差し込まれて蓋体３の一端を移動不能に保持する係止突起３１が設けられている。そして、係止突起３１と反対側の一側の外部には、本体側ロック部５１に対応して短筒状の蓋体側ロック部５２が設けられている。蓋体側ロック部５２は、本体側ロック部５１と合体されて１つのロック機構５を構成する。
【００１５】
ボックス本体２を蓋体３で封印するには、先ず、ボックス本体２の長孔２２に蓋体３の係止突起３１を差し込んだうえで、蓋体３をボックス本体２の上部開口２１に勘合して、上部開口２１を封鎖し、本体側ロック部５１に蓋体側ロック部５２を当接する。そして、これらを連通して裸子４をねじ込むことによって、ボックス本体２に蓋体３を固定することができる。
【００１６】
以上のボックス本体２、蓋体３、ロック機構５の少なくとも１つを、紫外線の照射により蛍光を発する発光体が含有された樹脂製のものする。樹脂として、エポキシ樹脂、アクリル樹脂、ポリビニルアルコール、ポリシロキサン等のような、硬化後に透明度の高いものを用いることができる。これにより、紫外線を樹脂内に十分入射させて発光体を鮮明に発光させることができる。また、半透明の樹脂も、十分発光を視認することができるので、基板ボックスの材料として使用可能である。
【００１７】
発光体として、希土類錯体と有機色素との何れか一方または双方からなるものを用いることができる。樹脂に含有させる発光体の量は、０．３〜２ｗｔ％とするのが適当である。蓋体３等においては、発光体を部材全体に均一に分散させることができるし、部材の一部にのみ発光体を含有させたり、濃度分布を持たせて部材中に分散させることもできる。発光体である希土類錯体又は有機色素の種類によって、また、複数の発光体の混合比を変えて使用することにより、青、赤、黄やオレンジ、黄緑、青緑など種々な色で発光させることができる。
【００１８】
発光体として、ユウロピウム系錯体（Ｅｕ（ｈｆａ）３（ＴＰＰＯ）２）、テルビウム系錯体（Ｔｂ（ｈｆａ）３（ＴＰＰＯ）２）などの希土類錯体を用いることができる。ユウロピウム系錯体を用いたばあいには、ブラックライト（発光波長３６５ｎｍ）を照射光源とすることにより発光体１を赤色に発光させ、テルビウム系錯体を用いた場合には、ブラックライトにより緑色に発光させることができる。希土類錯体は、配位子や希土類原子の違いによって、赤、緑、黄などに発光させることができる。
【００１９】
有機色素としては、オリゴフェニレン系、クマリン系、オキサゾール系、キサンテン系などを使用することができる。クマリン系色素を用いた場合は、紫外線を照射することにより、青または赤色に発光させることができる。
【００２０】
そして、ボックス本体２と蓋体３とロック機構５との少なくとも１つに、純正品であることを表示する識別マークを発光体により描いて樹脂の内部に含有させて置くことができる。識別マークは、紫外線の非照射時には視認することができない。しかし、図３に示すように、励起光源６から紫外線を照射したときには、識別マーク７を浮かび上がらせることができるので、基板ボックスが純正品か非純正品であるかを判別することができる。不正によって基板ボックスが発光体が含有されていない非純正品と交換されたようなばあいには、紫外線照射によるチェックにより簡単に不正が働かれたことを検知することができる。
【００２１】
識別マーク７は、ボックス本体２と蓋体３とロック機構５の何れか１つ又は二つ以上に描いておくことができる、この識別マーク７は平面的な模様であってもよいし、立体的な図柄、文字等であってもよい。また、発光体により、バーコード７１を描いておけば遊技機のスペック等の機種情報を把握することができる。このような基板ボックスを製造する方法として、発光体を含有した樹脂材料と含有しない樹脂材料との２種類を用意し、異材質成形の方法を採用することが一例として考えられる。
【００２２】
また、異なる色彩に発光する発光体を含有した樹脂材料を少なくとも２種類用意し、異材質成形の方法でこれらを積層させて基板ボックスを作ることも考えられる。こうすることによって、紫外線を照射すると基板ボックスの表面から内側に向かって２色以上の光が発せられることとなる。よって、より偽造を困難にして不正の防止を確実に図ることができる。
【００２３】
励起光源６としては、紫外線を発するブラックライト、ＬＥＤ、またはレーザー等を使用することができる。紫外線を発することができれば、可視光を同時に発するものであっても、特に差し支えはない。
【００２４】
以上に説明したように、本発明の基板ボックスは、紫外線を照射したときには樹脂の内部に混合させた発光体が赤や青に発光したり、識別マークが浮き上がったりするので、基板ボックスが純正品か非純正品であるかを識別することができる。したがって、不正を速やかに検知することができる。
【図面の簡単な説明】
【００２５】
【図１】本発明の基板ボックスの分解斜視図である。
【図２】識別マークが表示された基板ボックスの斜視図である。
【符号の説明】
【００２６】
２  ボックス本体、３  蓋体、５  ロック機構、７  識別マーク、７１  バーコード、
【図１】
2008125535.tif 000003
【図２】
2008125535.tif 000004